(57)【要約】【課題】構造が複雑とならず、消費電力量の低減を充分に図ることができて、乾燥時間の短縮化ができる衣類乾燥機を提供する。【解決手段】乾燥室と、乾燥室内の空気を、循環用送風機の運転により、乾燥室外に設けた通風路１９を通して乾燥室内に戻す循環を行わしめる循環装置と、上記通風路１９に設けられて循環空気の除湿をする除湿手段並びに循環空気の加熱をする加熱手段とを具備し、上記通風路１９の少なくとも一部に、循環空気から吸湿する吸湿機能と自然放湿をする放湿機能とを有する吸放湿部材３３を設けた。【選択図】図１
2015202328.tif 000002
【特許請求の範囲】
【請求項１】
乾燥室と、
この乾燥室内の空気を、循環用送風機の運転により、乾燥室外に設けた通風路を通して乾燥室内に戻す循環を行わしめる循環装置と、
前記通風路に設けられて前記循環空気の除湿をする除湿手段並びに前記循環空気の加熱をする加熱手段とを具備し、
前記通風路の少なくとも一部に、前記循環空気から吸湿する吸湿機能と自然放湿をする放湿機能とを有する吸放湿部材を設けたことを特徴とする衣類乾燥機。
【請求項２】
前記通風路の少なくとも一部の周壁全体を、前記吸放湿部材で形成したことを特徴とする請求項１記載の衣類乾燥機。
【請求項３】
前記吸放湿部材は、吸湿機能と放湿機能とを有する微粒子を前記通風路の少なくとも一部の周壁を構成する部材に練り込んで成るものであることを特徴とする請求項１記載の衣類乾燥機。
【請求項４】
前記吸放湿部材は、吸湿機能と放湿機能とを有する微粒子を前記通風路の少なくとも一部の周壁を構成する部材に塗布して成るものであることを特徴とする請求項１記載の衣類乾燥機。
【請求項５】
前記吸放湿部材は、前記通風路の前記除湿手段より上流側に位置することを特徴とする請求項１から４のいずれか一項記載の衣類乾燥機。
【請求項６】
前記通風路に被乾燥衣類から散出するリントを捕獲するフィルタ装置が設けられ、前記吸放湿部材は、そのフィルタ装置より下流側に位置することを特徴とする請求項１から５のいずれか一項記載の衣類乾燥機。
【請求項７】
前記吸放湿部材は、網状に形成されていることを特徴とする請求項１から６のいずれか一項記載の衣類乾燥機。
【請求項８】
前記通風路に前記循環空気の一部を通風路外に排出する排気部が存在し、前記吸放湿部材は、その排気部に設けられていることを特徴とする請求項１から７のいずれか一項記載の衣類乾燥機。
【請求項９】
前記通風路に通風路外の空気を吸入する吸気部が存在し、前記吸放湿部材は、その吸気部に設けられていることを特徴とする請求項１から８のいずれか一項記載の衣類乾燥機。
【請求項１０】
前記通風路に通風路外の空気を吸入する吸気部が存在し、前記吸放湿部材は、前記通風路に代えて、もしくはそれに加えて、前記乾燥室を囲繞する外箱の内面に設けられていることを特徴とする請求項１から９のいずれか一項記載の衣類乾燥機。
【発明の詳細な説明】
【技術分野】
【０００１】
本発明の実施形態は衣類乾燥機に関する。
【背景技術】
【０００２】
近年の洗濯乾燥機など衣類乾燥機においては、乾燥室内の空気を、循環用送風機の運転により、乾燥室外に設けた通風路を通して乾燥室内に戻す循環を行わしめる循環装置を有し、この循環装置の上記通風路に循環空気の除湿をする除湿手段と循環空気の加熱をする加熱手段とを設けて、衣類を乾燥させるようにしたものが供されている。
そして、そのものにおいて、更に循環装置の上記通風路にデシカント（ゼオライト）方式の除湿器を設け、それによる除湿機能の付加で、乾燥時間の短縮と消費電力量の低減とを図ったものが供されている（例えば特許文献１,２参照）。
【先行技術文献】
【特許文献】
【０００３】
【特許文献１】特開２０１２−１６１３５５号公報
【特許文献２】特開２０１２−２９７８３号公報
【発明の概要】
【発明が解決しようとする課題】
【０００４】
しかしながら、上述の循環装置の通風路にデシカント方式の除湿器を設けたものは、循環装置の通風路（第１の通風路）とは別に第２の通風路を有し、その両通風路にまたがってデシカント方式の除湿器を設け、この除湿器をモータにより回転させることで、第１の通風路で上記循環空気の吸湿をし、第２の通風路で該第２の通風路を通る空気に放湿をするものであり、その第２の通風路での放湿をするために除湿器を加熱するヒータを要するものである。
【０００５】
従って、上述の循環装置の通風路にデシカント方式の除湿器を設けたものでは、除湿器に加えて、循環装置の通風路とは別の第２の通風路、除湿器を回転させるモータ、及び除湿器を加熱するヒータを必要とするものであり、構造が複雑になると共に、消費電力量の低減を充分に図ることのできないものであった。
【０００６】
そこで、構造が複雑とならず、消費電力量の低減を充分に図ることができて、乾燥時間の短縮化ができる衣類乾燥機を提供する。
【課題を解決するための手段】
【０００７】
本実施形態の衣類乾燥機は、乾燥室と、この乾燥室内の空気を、循環用送風機の運転により、乾燥室外に設けた通風路を通して乾燥室内に戻す循環を行わしめる循環装置と、前記通風路に設けられて前記循環空気の除湿をする除湿手段並びに前記循環空気の加熱をする加熱手段とを具備し、前記通風路の少なくとも一部に、前記循環空気から吸湿する吸湿機能と自然放湿をする放湿機能とを有する吸放湿部材を設けたことを特徴とする。
【図面の簡単な説明】
【０００８】
【図１】第１の実施形態を示す、図２のI-I線に沿う断面図
【図２】衣類乾燥機（洗濯乾燥機）全体の、一部を破断した概略縦断背面図
【図３】衣類乾燥機（洗濯乾燥機）全体の、一部を破断した概略縦断側面図
【図４】循環装置とヒートポンプの概略構成図
【図５】第２の実施形態を示す図１相当図
【図６】第３の実施形態を示す図１相当図
【図７】第４の実施形態を示す図１相当図
【図８】第５の実施形態を示す図３相当図
【図９】第６の実施形態を示す図１相当図
【図１０】第７の実施形態を示す図２相当図
【図１１】第８の実施形態を示す図２相当図
【図１２】第９の実施形態を示す図２相当図
【発明を実施するための形態】
【０００９】
以下、洗濯乾燥機に適用して、その第１の実施形態につき、図１から図４を参照して説明する。
まず、図２及び図３には、洗濯乾燥機、中でもドラム式（横軸形）洗濯乾燥機の全体構成を示しており、外箱１の内部に外槽２を配設し、外槽２の内部に回転槽（ドラム）３を配設している。本実施形態においては、この外槽２と回転槽３とで洗濯室兼用の乾燥室を構成するものであり、回転槽３は、周側壁の全域に通水及び通風兼用の孔４を有する多孔状を成している。
【００１０】
上記外槽２及び回転槽３は又、ともに軸方向が前後（図３で左右）の横軸円筒状を成すものであり、それを図示しないサスペンションにより前上がり（図３で左上がり）の傾斜状に弾性支持している。更に、これら外槽２及び回転槽３は、ともに前面が開口しており、それに対して、外箱１の前面部のやゝ上向きに傾斜した上部には扉５によって開閉される衣類出入口（図示省略）を形成し、この衣類出入口と外槽２の前面の開口部とを図示しないベローズにより連ねている。
【００１１】
外槽２の背面にはモータ６を取付けている。このモータ６は、例えばアウターロータ形のブラシレスモータであり、回転槽３を直に回転駆動するようになっている。従って、モータ６は回転槽３を回転駆動する駆動装置として機能するものである。
このほか、外槽２の最下部である底部の最後部には、電動の排水弁７を有する排水管路８を接続して設け、この排水管路８により外槽２内の水を機外に排出するようにしている。
【００１２】
外槽２の下方（外箱１の奥底部）には通風ダクト９を配置している。この通風ダクト９は、図２に示すように、左右に長いボックスで、その一端部(図２で左側部)の上部に蛇腹状等の可撓ダクト継手１０を介して吸気ダクト１１の一端部を接続している。吸気ダクト１１は、外箱１内の奥部の一方側(図２で左側)を下部から上方へ、そして図３に示すように前方へと配管しており、他端部（上前端部）をフィルタ装置１２に接続している。
【００１３】
フィルタ装置１２は、もっぱら洗濯物（被乾燥衣類）から散出するリントを捕獲するもので、図示しないフィルタ本体を外箱１の上面部の前部において着脱することにより掃除ができるようになっており、このフィルタ装置１２を蛇腹状等の可撓接続ホース１３を介して、前記外槽２の前部の上部に形成した温風出口１４に接続している。すなわち、通風ダクト９の一端部には、外槽２の温風出口１４を、可撓接続ホース１３、フィルタ装置１２、吸気ダクト１１、及び可撓ダクト継手１０を介して接続しているのである。
【００１４】
一方、通風ダクト９の他端部(図２で右側部)には、循環用送風機１５を連設している。この循環用送風機１５は、詳細には、ケーシング１５ａの内部に送風羽根車１５ｂを収容し、この送風羽根車１５ｂをケーシング１５ａの外部に取付けたモータ１５ｃにより回転駆動するもので、上記通風ダクト９の他端部には、ケーシング１５ａの入口部を連通させている。
【００１５】
そして、循環用送風機１５のケーシング１５ａの出口部には、蛇腹状等の可撓ダクト継手１６を介して給気ダクト１７の一端部を接続している。給気ダクト１７は、外箱１内の奥部の他方側(図２で右側)を下部から前記外槽２の背面部に前記モータ６部分を迂回させて配管しており、他端部（上端部）を、前記外槽２の後部の上部に形成した温風入口１８（図３参照）に接続している。
【００１６】
これらの結果、前記可撓接続ホース１３、フィルタ装置１２、吸気ダクト１１、可撓ダクト継手１０、通風ダクト９、循環用送風機１５のケーシング１５ａ、可撓ダクト継手１６、及び給気ダクト１７により、前記外槽２の温風出口１４と温風入口１８とを接続して、外槽２の外部に通風路１９を構成している。
【００１７】
循環用送風機１５は、回転槽３内の空気を、図２及び図３に矢印で示すように、外槽２内から上記通風路１９を通して外槽２外に出した後、外槽２内に、そして回転槽３内に戻す循環を行わしめるようになっており、もって、通風路１９と循環用送風機１５とにより回転槽３内の空気を循環させる循環装置２０を構成している。
【００１８】
そして、通風路１９中、通風ダクト９の内部には、上流側（図２で左側）に蒸発器２１を配設しており、下流側（図２で右側）に凝縮器２２を配設している。これらの蒸発器２１及び凝縮器２２は、図４に示す圧縮機２３及び絞り器２４とでヒートポンプ２５を構成するもので、このヒートポンプ２５においては、接続パイプ２６によって、圧縮機２３、凝縮器２２、絞り器２４、蒸発器２１、及び圧縮機２３の順に、それらをサイクル接続しており（冷凍サイクル）、圧縮機２３が作動することによって、サイクルに封入した冷媒を循環させるようになっている。
【００１９】
なお、絞り器２４は、圧縮機２３で圧縮し凝縮器２２で液化した後の冷媒を減圧する減圧手段であって、この場合、電子膨張弁（ＰＭＶ）を用いているが、他の減圧手段（例えばキャピラリチューブ等）を用いても良い。
又、圧縮機２３は、詳細には図示しないが、例えばロータリー形であり、更に、圧縮機構部とモータ部とから構成されていて、そのモータ部には、インバータ電源（圧縮機駆動手段に相当）により設定周波数の駆動電源を供給するようにしている。これにより、モータ部は供給された周波数に応じた回転速度で回転し、圧縮機構部を可変の設定出力で駆動するようになっている。
【００２０】
図４には、ヒートポンプ２５と併せて、前記外槽２と循環装置２０（吸気ダクト１１、通風ダクト９、循環用送風機１５、及び給気ダクト１７）を概略的に示しており、そのほか、ヒートポンプ２５について設けた温度検知手段として、圧縮機２３の吐出側の温度（冷媒温度）を検知する温度センサ２７と、凝縮器２２の温度を検知する温度センサ２８、蒸発器２１の入口側の温度（冷媒温度）を検知する温度センサ２９、蒸発器２１の出口側の温度（冷媒温度）を検知する温度センサ３０を示し、更に、前記外槽２(乾燥室)の入口側（給気ダクト１７中）の温度（空気温度）を検知する温度センサ３１と、同外槽２(乾燥室)の出口側（通風ダクト９の蒸発器２１より上流側）の温度（空気温度）を検知する温度センサ３２とを示している。
【００２１】
ここで、図１は、前記通風路１９中の吸気ダクト１１の構成を詳細に示しており、この図１で明らかなように、吸気ダクト１１には吸放湿部材３３を設けている。この吸放湿部材３３は、吸気ダクト１１を通る循環空気から吸湿する吸湿機能と自然放湿をする放湿機能とを有するもので、例えば東洋紡株式会社の商品名でタフチック（ＴＡＦＴＩＣ）という機能性アクリル系微粒子から成るものであり、それを、この場合、円筒状に成形して吸気ダクト１１の全長もしくはほゞ全長の周壁の内周面部に密接配置することで、吸気ダクト１１に設けている。
【００２２】
吸気ダクト１１は、通風路１９中の前記蒸発器２１より上流側に位置するものであり、従って、吸放湿部材３３も、通風路１９中の前記蒸発器２１より上流側に位置している。
なお、図２及び図４に示すように、通風ダクト９の蒸発器２１より上流側には、循環空気の一部を通風路外に排出する排気部として排気口３４を設けており、通風ダクト９の蒸発器２１より下流側であって凝縮器２２の上流側、すなわち、通風ダクト９の蒸発器２１と凝縮器２２との間の部分には通風路外の空気を吸入する吸気部として吸気口３５を設けている。
【００２３】
又、通風ダクト９の蒸発器２１及び凝縮器２２下の部分には、ドレンタンク３６を設けており、このドレンタンク３６により、蒸発器２１で発生して滴下する除湿水を通風ダクト９底部の図示しない通水部を通して受け溜めるようにしている。又、このドレンタンク３６には図示しなドレンポンプを付設していて、このドレンポンプにより、ドレンタンク３６に貯留した除湿水を汲み上げ、図示しない吐水パイプを通じて前記排水管路８に排出するようにしている。
【００２４】
このほか、図２には、前記外箱１の内上部に設けた給水弁３７を示しており、この給水弁３７は、入口部に水道の蛇口を図示しない接続ホースを介して接続し、出口部を接続ホース３８を介して前記外槽２に接続することにより、外槽２内に水道水を供給するようになっている。
【００２５】
次に、上記構成の洗濯乾燥機の作用を述べる。
まず、使用者により図示しない操作パネルが操作されて運転のコースが設定され、運転の開始が指示されると、図示しない制御装置が、設定された運転のコースに応じた洗濯運転、乾燥運転、或いはその両運転を行う洗濯乾燥運転を実行する。その一つとして、洗濯乾燥運転の実行が開始された場合には、洗濯行程、脱水行程、乾燥行程を順に実行する。
【００２６】
洗濯行程では、給水弁３７を開放させることにより外槽２内に給水し、その後に回転槽３を低速で正逆両方向に交互に回転させる動作が行われる。
脱水行程では、排水弁７を開放させて外槽２内の水を排出した後、回転槽３を高速で一方向に回転させる動作が行われる。
乾燥行程では、回転槽３を低速で正逆両方向に交互に回転させつつ、回転槽３内に温風を供給する動作が行われる。
【００２７】
回転槽３内に温風を供給する動作は、詳しくは、循環用送風機１５を駆動すると共に、ヒートポンプ２５の圧縮機２３を駆動することで行われる。そのうちの循環用送風機１５の駆動により、回転槽３内の空気が外槽２内から通風路１９の吸気ダクト１１を経て通風ダクト９内に流入される。
【００２８】
一方、ヒートポンプ２５の圧縮機２３の駆動により、ヒートポンプ２５に封入した冷媒が圧縮機２３により圧縮されて高温高圧の冷媒となり、その高温高圧の冷媒が凝縮器２２に流れて、通風ダクト９内の空気と熱交換する。その結果、通風ダクト９内を通る空気が加熱され、反対に、凝縮器２２内の冷媒は温度が低下して液化される。この液化された冷媒が、次に、絞り器２４を通って減圧された後、蒸発器２１を流れ、気化する。それにより、蒸発器２１は通風ダクト９内を通る空気を冷却する。蒸発器２１のパイプ２１ａを通過した冷媒は圧縮機２３に戻る。
【００２９】
これらにより、前記外槽２内から通風ダクト９内に流入した空気は、蒸発器２１で冷却されて除湿され、その後に凝縮器２２で加熱されて温風化される。従って、蒸発器２１は通風ダクト９内を通る空気の除湿をする除湿手段として機能するものであり、凝縮器２２は同空気の加熱をする加熱手段として機能するものである。そして、その温風化された空気は、給気ダクト１７を経て外槽２内に供給され、更に回転槽３内に供給される。
【００３０】
回転槽３内に供給された空気（温風）は、回転槽３内の衣類の水分を奪った後、外槽２内から吸気ダクト１１を経て通風ダクト９内に流入する。かくして、蒸発器２１及び凝縮器２２を有する通風ダクト９と回転槽３との間を回転槽３内の空気が循環することにより、回転槽３内の衣類が乾燥される。従って、このときに、外槽２と回転槽３は、乾燥室として機能する。又、その循環過程では、通風ダクト９の排気口３４から一部の空気が通風ダクト９外に排出され、それに見合った量の空気が吸気口３５から通風ダクト９内に吸入されることにより、通風ダクト９を通る空気の温度調整並びに湿度調整が行われる。
【００３１】
そして、このような乾燥運転が行われる中で、通風路１９中の吸気ダクト１１に設けた吸放湿部材３３は、その特性から、吸気ダクト１１を通る空気の温度上昇に伴い、その空気から湿気を漸次吸収する。
【００３２】
この場合、吸放湿部材３３の特性として、例えば５０〔℃〕の雰囲気で湿気の吸収率が８０〔％〕であるとすると、重量３００〔ｇ〕の吸放湿部材３３であれば、３００〔ｇ〕×８０〔％〕＝２４０〔ｇ〕で、２４０〔ｇ〕の水分の吸収が可能となる。但し、吸放湿部材３３には常態での水分量の吸収があるため、それを５０〔％〕とすると、実際は、２４０〔ｇ〕−２４０〔ｇ〕×５０〔％〕＝１２０〔ｇ〕で、１２０〔ｇ〕の水分の吸収が可能となる。
【００３３】
通常４〔ｋｇ〕の衣類を乾燥させる場合、１５００〔ｃｃ〕程度の除湿が必要であるが、この場合には、１２０÷１５００＝８〔％〕で、８〔％〕の除湿負荷の減少が可能となるものであり、このようにして本実施形態においては、通風路１９中の吸気ダクト１１に設けた吸放湿部材３３による除湿機能の付加で、除湿負荷量の低減が可能となるものである。
【００３４】
そして、乾燥運転の終了後には、吸放湿部材３３は自然放湿により、吸収した漸次湿度が漸次減少し、再度吸湿可能状態に戻る。
従って、本実施形態においては、前記特許文献１,２に記載されたもののような、循環装置の通風路とは別の第２の通風路や、除湿器を回転させるモータ、及び除湿器を加熱するヒータを必要とすることなく、除湿負荷量の低減を可能ならしめ得るもので、構造が複雑とならず、消費電力量も充分に低減できつつ、乾燥時間の短縮化ができるものである。
【００３５】
加えて、本実施形態においては、吸放湿部材３３を通風路１９中の除湿手段である蒸発器２１より上流側に位置させており、それによって、外槽２内から通風ダクト９内に流入した高湿度のままの空気に対して吸放湿部材３３が吸湿作用を及ぼすので、より効果的な吸湿ができ、除湿負荷量の低減が一層効果的にできる。
【００３６】
以上に対して、図５から図１２は第２から第９の実施形態を示すもので、それぞれ、第１の実施形態と同一の部分には同一の符号を付して説明を省略し、異なる部分についてのみ述べる。
【００３７】
［第２の実施形態］
図５に示す第２の実施形態においては、吸気ダクト１１の周壁全体を吸放湿部材３３で形成している。
このようにすることにより、第１の実施形態と同様の作用効果が得られるほかに、吸気ダクト１１に吸放湿部材３３を設けることが、吸気ダクト１１の周壁の内周面部に吸放湿部材３３を密接配置する手間を要することなく、容易にできるという一層の効果が得られる。
【００３８】
［第３の実施形態］
図６に示す第３の実施形態においては、吸放湿部材４１を、上述の吸放湿部材３３に代えて、前述の吸湿機能と放湿機能とを有する微粒子を吸気ダクト１１の周壁を構成する部材に練り込んで成るものとしている。
このようにしても、第１の実施形態と同様の作用効果が得られるほかに、吸気ダクト１１に吸放湿部材３３を設けることが、吸気ダクト１１の周壁の内周面部に吸放湿部材３３を密接配置する手間を要することなく、容易にできるという一層の効果が得られる。
【００３９】
［第４の実施形態］
図７に示す第４の実施形態においては、吸放湿部材５１を、上述の吸放湿部材４１とも代えて、前述の吸湿機能と放湿機能とを有する微粒子を吸気ダクト１１の周壁を構成する材に塗布して成るものとしている。
このようにしても又、第１の実施形態と同様の作用効果が得られるほかに、吸気ダクト１１に吸放湿部材３３を設けることが、吸気ダクト１１の周壁の内周面部に吸放湿部材３３を密接配置する手間を要することなく、容易にできるという一層の効果が得られる。
【００４０】
［第５の実施形態］
図８に示す第５の実施形態においては、通風路１９中のフィルタ装置１２と吸気ダクト１１とを補助ダクト６１で接続する構成とし、この補助ダクト６１に吸放湿部材６２を前記吸放湿部材３３，４１，５１のいずれかと同様に設けることにより、通風路１９中のフィルタ装置１２より下流側に吸放湿部材６２を設けている。
【００４１】
このようにすることにより、吸放湿部材６２部分（補助ダクト６１）にはフィルタ装置１２でリントを捕獲された後の空気が通るようになるので、吸放湿部材６２へのリントの付着を防止できて、吸放湿部材６２による吸湿作用がリントに阻害されることなく得られ、併せて、この場合も、外槽２内から通風ダクト９内に流入した高湿度のままの空気に対して吸放湿部材３３が吸湿作用を及ぼすようになるので、より効果的な吸湿ができて、除湿負荷量の低減が一層効果的にできる。
【００４２】
［第６の実施形態］
図９に示す第６の実施形態においては、吸放湿部材７１を前述の吸湿機能と放湿機能とを有する微粒子で網状に形成して吸気ダクト１１としたものである。すなわち、この場合、吸気ダクト１１の全体を吸放湿部材７１で網状に形成している。
このようにすることにより、吸放湿部材７１の、体積の増加と循環空気との接触面積の増加とにより、吸湿量を大きくできて、より効果的な吸湿ができ、除湿負荷量の低減が一層効果的にできる。
【００４３】
なお、この場合の吸放湿部材７１の網状構成は、波状の中芯の片面にのみライナーを貼着した片面段ボールを多層に重ねた態様のものであるが、それに代えて、ハニカム状や格子状等にしても良い。
又、吸放湿部材７１として、第４の実施形態の補助ダクト６１を網状に構成するようにしても良い。
【００４４】
［第７の実施形態］
図１０に示す第７の実施形態においては、通風路１９の排気部である排気口３４に吸放湿部材８１を設けている。この場合の吸放湿部材８１も、第１から第４及び第６の実施形態の各吸放湿部材３３，４１，５１と同様に設けたものであり、更に、網状に構成するようにしても良い。
【００４５】
このようにすることにより、通風路１９から外箱１内には低湿度の空気を排出し、外箱１内空気の高湿度化を抑えることができるので、外箱１内から通風路１９内に吸入する空気を低湿度状態となし得て、除湿負荷の軽減ができる。又、この場合、外箱１内の結露を防止することができる。
【００４６】
［第８の実施形態］
図１１に示す第８の実施形態においては、上記吸放湿部材８１を、通風路１９の吸気部である吸気口３５に設けている。
このようにしても、外箱１内から通風路１９内に吸入する空気を低湿度状態となし得て、除湿負荷の軽減ができる。
なお、吸放湿部材８１は通風路１９の排気口３４と吸気口３５の双方に設けるようにしても良い。
【００４７】
［第９の実施形態］
図１２に示す第９の実施形態においては、通風路１９に上記吸気口３５が存在するものにおいて、前記吸放湿部材３３又は吸放湿部材５１同様の吸放湿部材９１を、通風路１９の前記いずれかの構成部品に代えて、外箱１の内面に設けている。
【００４８】
このようにすることにより、吸放湿部材９１が外箱１内空気の吸湿をし、外箱１内空気の高湿度化を抑えることができるので、外箱１内から吸気口３５を通じて通風路１９内に吸入する空気を低湿度状態となし得、除湿負荷の軽減ができる。又、この場合も、外箱１内の結露を防止することができる。
なお、この場合の吸放湿部材９１は、通風路１９の前記いずれかの部品に代えて設けるのではなく、それらの部品に加えて設けるようにしても良い。
【００４９】
以上説明した衣類乾燥機は、上記実施形態にのみ限定されるものではなく、特に洗濯乾燥機全体としては、上述の横軸形に限られず、水槽及び回転槽を縦軸状に有する縦軸形であっても良いし、又、本来的には洗濯と乾燥の両機能を有する洗濯乾燥機に限られず、乾燥機能のみを有する衣類乾燥機に適用できる。更に、吸放湿部材は前記通気路の少なくとも一部に設けられれば良いもので、全部に設けていても良く、除湿手段及び加熱手段も、上述の蒸発器及び凝縮器には限られず、水冷又は空冷の除湿器と電熱ヒータ等であっても良いなど、要旨を逸脱しない範囲内で適宜変更して実施し得る。
【００５０】
そのほか、本発明の幾つかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５１】
図面中、１は外箱、２は外槽（乾燥室）、３は回転槽（乾燥室）、１２はフィルタ装置、１５は循環用送風機、１９は通風路、２０は循環装置、２１は蒸発器（除湿手段）、２２は凝縮器（加熱手段）、３３は吸放湿部材、３４は排気口（排気部）、３５は吸気口（吸気部）、４１，５１，６２，７１，８１，９１は吸放湿部材を示す。
【図１】
2015202328.tif 000003
【図２】
2015202328.tif 000004
【図３】
2015202328.tif 000005
【図４】
2015202328.tif 000006
【図５】
2015202328.tif 000007
【図６】
2015202328.tif 000008
【図７】
2015202328.tif 000009
【図８】
2015202328.tif 000010
【図９】
2015202328.tif 000011
【図１０】
2015202328.tif 000012
【図１１】
2015202328.tif 000013
【図１２】
2015202328.tif 000014